(57)【特許請求の範囲】
【請求項１】
インプラント体は、筒状のインプラント本体と拡開部材とから成るとともに前記インプラント本体は、長さ方向の所要部位に配設した複数の拡開部を備え、前記拡開部材は、前記インプラント本体の複数の拡開部を径方向の外側に拡開し得るように構成して成るとともに、
前記インプラント本体の各拡開部は、スリット部を介して径方向の外側に拡開し得るように形成するとともに前記拡開部材は、前記インプラント本体の軸心方向に装入した拡開ねじ体にて形成するとともにこの拡開ねじ体の長さ方向間の、前記インプラント本体の各拡開部との対向位置に突出した凸部とから形成され、当該拡開ねじ体をインプラント本体の軸心にて所要角度回転することにより、各凸部にてこれに対向するインプラント本体の各拡開部を外側に拡開し得るように構成して成るインプラント体において、
前記インプラント本体は、前記拡開ねじ体の頭部の係止段部を備え、このインプラント本体の係止段部と、これに係止される拡開ねじ体の頭部との間に、インプラント本体の植立状態において、インプラント本体の内部に細菌等が侵入するのを阻止するシール用の接合面を設けるとともにこの接合面間にシール部材を介装してシール部を設けることにより構成したことを特徴とするインプラント体。
【請求項２】
インプラント体は、筒状のインプラント本体と拡開部材とから成るとともに前記インプラント本体は、長さ方向の所要部位に配設した複数の拡開部を備え、前記拡開部材は、前記インプラント本体の複数の拡開部を径方向の外側に拡開し得るように構成して成るとともに、
前記インプラント本体の各拡開部は、スリット部を介して径方向の外側に拡開し得るように形成するとともに前記拡開部材は、前記インプラント本体の軸心方向に装入した拡開ねじ体にて形成するとともにこの拡開ねじ体の長さ方向間の、前記インプラント本体の各拡開部との対向位置に突出した凸部とから形成され、当該拡開ねじ体をインプラント本体の軸心にて所要角度回転することにより、各凸部にてこれに対向するインプラント本体の各拡開部を外側に拡開し得るように構成して成るインプラント体において、
前記インプラント本体は、前記拡開ねじ体の頭部の係止段部を備え、このインプラント本体の係止段部と、これに係止される拡開ねじ体の頭部との間に、インプラント本体の植立状態において、インプラント本体の内部に細菌等が侵入するのを阻止するシール用の接合面を設けるとともにこの接合面間にシール部材を介装してシール部を設け、かつ前記インプラント本体の一部に抜孔を設けるとともに前記拡開ねじ体に貫通孔を設けて、緩み止めピンを抜孔から貫通孔に挿入する事で、前記拡開ねじ体を定位置に固定して、前記インプラント本体の各拡開部の没入を阻止することができるようにし、さらに、前記インプラント本体の係止段部の下側と前記緩み止めピン間に位置せしめて、前記拡開ねじ体の外周にウェーブワッシャを嵌め付けることにより、前記インプラント本体と拡開ねじ体との接合面間におけるシール部と相俟って、インプラント本体の内部に細菌等が侵入することを阻止することができるように構成したことを特徴とするインプラント体。
【請求項３】
インプラント体は、筒状のインプラント本体と拡開部材とから成るとともに前記インプラント本体は、長さ方向の所要部位に配設した複数の拡開部を備え、前記拡開部材は、前記インプラント本体の複数の拡開部を径方向の外側に拡開し得るように構成して成るとともに、
前記インプラント本体の各拡開部は、スリット部を介して径方向の外側に拡開し得るように形成するとともに前記拡開部材は、前記インプラント本体の軸心方向に装入した拡開ねじ体にて形成するとともに前記インプラント本体には、所要部位に空隙部を配設し、前記拡開ねじ体のねじ部に螺合するねじ部を備える押上体を当該空隙部内に装入した後、前記拡開ねじ体をインプラント本体の軸心に回転自在に装入するとともに空隙部内に装入される押上体のねじ部を拡開ねじ体のねじ部に螺合せしめて構成し、前記拡開ねじ体を回転することにより押上体を拡開ねじ体のねじ部に沿って螺進しつつ上昇し、インプラント体の所要位置に配設される拡開部を外側に拡開し得るように構成して成るインプラント体において、
前記インプラント本体は、前記拡開ねじ体の頭部の係止段部を備え、このインプラント本体の係止段部と、これに係止される拡開ねじ体の頭部との間に、インプラント本体の植立状態において、インプラント本体の内部に細菌等が侵入するのを阻止するシール用の接合面を設けるとともにこの接合面間にシール部材を介装してシール部を設けることにより構成したことを特徴とするインプラント体。
【発明の詳細な説明】
【０００１】
【発明の属する技術分野】
本発明は顎骨に歯科技工上の構造体を固定するインプラント体に関する。
【０００２】
【従来の技術】
従来、顎骨に義歯を固定するインプラント体としては、顎骨内に挿入する第１のインプラント構成部材（ベース部材）と、この第１のインプラント構成部材に結合して、歯科技工上の構造体を支持する第２のインプラント構成部材（ホルダー部材）とから構成する発明が、例えば特開平７−２３９８３号あるいは特開平８−１９６５４８号公報にて公開されている。
【０００３】
しかして、前記インプラント体の実施に当たっては、第１のインプラント構成部材を顎骨の所要位置に植立した後、再びその部分の歯肉を縫合して、所要期間待ち、顎骨が成長することによりインプラント構成部材が顎骨に強固に固着するようにする。
【０００４】
又、前記インプラント体の発明に加えて、米国特許第３７０８８８３号の発明が開発実施されている。このインプラント体は、図４５〜４７に示す如く、前記インプラント体におけるベース部材とホルダー部材を一体としたもので、顎骨６０に固定するベース部４１の上部に義歯６２を支持（固定）するホルダー部４２を一体に形成したインプラント本体４３と、このインプラント本体４３のベース部４１の拡開片４４を拡開する操作部材４６を、前記インプラント本体４３の軸心方向に上下動自在に装着することにより構成されている。
【０００５】
そして、前記インプラント本体４３は、筒状に形成され、ベース部４１は、上部のホルダー部４２より大径に形成されるとともに拡開自在な対向する２枚の拡開片４４の外面に、ネジ山状の突起部４７を突設し、かつ内面には、前記操作部材４６のカム４８に係合するカム面４９を備えることにより構成されている。
【０００６】
さらに、前記操作部材４６は、前記インプラント本体４３の筒状部５０内において、軸心方向に上下動自在に挿入された丸棒状の本体５１の下部にカム４８を固着するとともに本体５１の上部外周には、この本体５１をインプラント本体４３の軸心方向に上下動する操作用のナット５２を螺合するネジ部５３を螺設することにより構成されている。
【０００７】
前記インプラント体４０は、図４４に示す顎骨６０の植立部６１内に挿入した後、ナット５２を回転することにより操作部材４６の本体５１を上昇してカム４８を介して、ベース部４１の拡開片４４を外側に拡開する。
【０００８】
前記ベース部４１の拡開片４４が、操作部材４６のカム４８により、図４５の点線に示す位置に拡開されることにより、インプラント本体４３は、図４４に示される如く、顎骨６０の植立部６１内に固定することができる。そして、インプラント体４０のホルダー部４２を介して義歯６２を固定し得るようにしたものである。
【０００９】
図４７〜４９は、米国特許第５６８１１６７号の発明であって、この前記インプラント体４０の拡開片４４の数を４枚（あるいは３枚など）にしたものである。すなわち、図４７〜４９のインプラント体５７のインプラント本体４３は、筒状のベース部４１の長さ方向に４本のスリット５４を各スリット５４間に等間隔を置いて設けるとともに、各スリット５４によって設けられた４枚の拡開片４４の下部内面に、それぞれカム面４９を形成することにより構成されている。
【００１０】
又、インプラント本体４３の操作部材４６は図４８に示す如く、前記ベース部４１の筒状部５０内に設けた係止段部５５に、頭部５６を係止せしめつつネジ杆から成る本体５８を回転自在に挿入するとともに、この本体５８の下部にカム４８を螺着することにより構成さている。
【００１１】
尚、義歯６２のホルダー部４２は、前記インプラント体４０とは違い、図４９に示す如く、インプラント本体４３とは別体に形成したホルダー部４２を、前記ベース部４１の上部の連結部４５に固着することにより構成するものである。
【００１２】
前記構成から成るインプラント体５７の顎骨６０の植立部６１に対する植立方法については、前記インプラント体４０と同様であるので、説明は省略し、その状態のみを図４９により示すことにする。
【００１３】
【発明が解決しようとする課題】
さて、前記の特開平７−２３９８３号並びに特開平８−１９６５４８号公報記載のインプラント体の場合には、一旦第１のインプラント構成部材を顎骨内に植立した後、同部材が顎骨の成長によって、強固に固着するのを待って、再び同部材の植立部の歯肉を切開し、前記第１のインプラント構成部材の上部を露出させつつ、以後の歯科技工上の構造体の固着作業を続ける必要があった。
【００１４】
従って、患者は前記第１のインプラント構成部材の植立後、通常半年間は、十分な咀嚼機能を回復できず不便な生活を強いられるばかりでなく前記作業の開始時における第１のインプラント構成部材の植立部の歯肉部を切開するという肉体的苦痛をも伴うものであった。
【００１５】
要するに、前記公開技術によるインプラント体は、抜歯直後の抜歯窩へ植立するのは不可能であった。
【００１６】
すなわち、抜歯窩の形状には個人差があり第１の円筒状のインプラント構成部材を抜歯窩に植立しても顎骨又は／及び歯槽骨との密着面積が小さく、強度的にも十分な固着が得られない。従って、通常抜歯後、数年間、抜歯窩が完全になくなる迄待たなければならず、加えて、抜歯窩のあとは、顎骨又は／及び歯槽骨が薄くなることが知られており、前記第１のインプラント構成部材の植立自体が難しくなるケースが頻繁に生じているのが現状である。
【００１７】
これに換えて、開発実施される米国特許第３７０８８３号の発明並びに米国特許第５６８１１６７号の発明の前記インプラント体４０および５７は、複数の拡開片４４を植立部６１内において拡開することにより、植立部６１の形状、例えば植立部６１が抜歯窩の形状が異なる場合にも対応できるので、抜歯窩への植立に対しても、前記両公開公報のインプラント体における欠点を除去しつつ、抜歯直後の抜歯窩への植立を可能とする利点を有する。
【００１８】
しかしながら、前記両公開公報のインプラント体および米国特許第３７０８８８３号とこれの変形例におけるインプラント体４０，５７においては、いづれの場合も、その植立状態において、インプラント本体４３内への細菌等の侵入を防止する対策が全く施されていないのである。
【００１９】
そこで、本発明は、抜歯窩等との間の保持力の増大による、即日可能な人工歯牙の形成に加えて、特に、インプラント本体の植立状態においてインプラント本体内に細菌等の侵入を防止し得るインプラント体の提供を目的とする。
【００２０】
【課題を解決するための手段】
本発明の請求項１の発明は、前記課題を解決するために、インプラント体は、筒状のインプラント本体と拡開部材とから成るとともに前記インプラント本体は、長さ方向の所要部位に配設した複数の拡開部を備え、前記拡開部材は、前記インプラント本体の複数の拡開部を径方向の外側に拡開し得るように構成して成るとともに、前記インプラント本体の各拡開部は、スリット部を介して径方向の外側に拡開し得るように形成するとともに前記拡開部材は、前記インプラント本体の軸心方向に装入した拡開ねじ体にて形成するとともにこの拡開ねじ体の長さ方向間の、前記インプラント本体の各拡開部との対向位置に突出した凸部とから形成され、当該拡開ねじ体をインプラント本体の軸心にて所要角度回転することにより、各凸部にてこれに対向するインプラント本体の各拡開部を外側に拡開し得るように構成して成るインプラント体において、前記インプラント本体は、前記拡開ねじ体の頭部の係止段部を備え、このインプラント本体の係止段部と、これに係止される拡開ねじ体の頭部との間に、インプラント本体の植立状態において、インプラント本体の内部に細菌等が侵入するのを阻止するシール用の接合面を設けるとともにこの接合面間にシール部材を介装してシール部を設けることにより構成したことを特徴とするものである。
【００２１】
インプラント体は、筒状のインプラント本体と拡開部材とから成るとともに前記インプラント本体は、長さ方向の所要部位に配設した複数の拡開部を備え、前記拡開部材は、前記インプラント本体の複数の拡開部を径方向の外側に拡開し得るように構成して成るとともに、前記インプラント本体の各拡開部は、スリット部を介して径方向の外側に拡開し得るように形成するとともに前記拡開部材は、前記インプラント本体の軸心方向に装入した拡開ねじ体にて形成するとともにこの拡開ねじ体の長さ方向間の、前記インプラント本体の各拡開部との対向位置に突出した凸部とから形成され、当該拡開ねじ体をインプラント本体の軸心にて所要角度回転することにより、各凸部にてこれに対向するインプラント本体の各拡開部を外側に拡開し得るように構成して成るインプラント体において、前記インプラント本体は、前記拡開ねじ体の頭部の係止段部を備え、このインプラント本体の係止段部と、これに係止される拡開ねじ体の頭部との間に、インプラント本体の植立状態において、インプラント本体の内部に細菌等が侵入するのを阻止するシール用の接合面を設けるとともにこの接合面間にシール部材を介装してシール部を設け、かつ前記インプラント本体の一部に抜孔を設けるとともに前記拡開ねじ体に貫通孔を設けて、緩み止めピンを抜孔から貫通孔に挿入する事で、前記拡開ねじ体を定位置に固定して、前記インプラント本体の各拡開部の没入を阻止することができるようにし、さらに、前記インプラント本体の係止段部の下側と前記緩み止めピン間に位置せしめて、前記拡開ねじ体の外周にウェーブワッシャを嵌め付けることにより、前記インプラント本体と拡開ねじ体との接合面間におけるシール部と相俟って、インプラント本体の内部に細菌等が侵入することを阻止することができるように構成したことを特徴とするインプラント体。
そして、請求項２の発明は、ものである。
【００２２】
また、請求項３の発明は、インプラント体は、筒状のインプラント本体と拡開部材とから成るとともに前記インプラント本体は、長さ方向の所要部位に配設した複数の拡開部を備え、前記拡開部材は、前記インプラント本体の複数の拡開部を径方向の外側に拡開し得るように構成して成るとともに、前記インプラント本体の各拡開部は、スリット部を介して径方向の外側に拡開し得るように形成するとともに前記拡開部材は、前記インプラント本体の軸心方向に装入した拡開ねじ体にて形成するとともに前記インプラント本体には、所要部位に空隙部を配設し、前記拡開ねじ体のねじ部に螺合するねじ部を備える押上体を当該空隙部内に装入した後、前記拡開ねじ体をインプラント本体の軸心に回転自在に装入するとともに空隙部内に装入される押上体のねじ部を拡開ねじ体のねじ部に螺合せしめて構成し、前記拡開ねじ体を回転することにより押上体を拡開ねじ体のねじ部に沿って螺進しつつ上昇し、インプラント体の所要位置に配設される拡開部を外側に拡開し得るように構成して成るインプラント体において、前記インプラント本体は、前記拡開ねじ体の頭部の係止段部を備え、このインプラント本体の係止段部と、これに係止される拡開ねじ体の頭部との間に、インプラント本体の植立状態において、インプラント本体の内部に細菌等が侵入するのを阻止するシール用の接合面を設けるとともにこの接合面間にシール部材を介装してシール部を設けることにより構成したことを特徴とするものである。
【００２３】
【発明の実施の形態】
以下に、本発明の実施の形態を詳細に説明する。
【００２４】
（実施の形態１）
図１および図２は、本発明の実施の形態１のインプラント体の要部を示す拡大断面図である。
【００２５】
さて、この実施の形態１は、図４４〜４６にて示したインプラント体４０に本発明を適用することにより実施した場合を示すものである。
【００２６】
従って、インプラント体４０の全体構成の詳細な説明は、図４４〜４６と同一構成部分の説明は省略し、以下には、インプラント本体４３と操作部材４６間に施したシール部７０の構成を図１及び図２とともに説明する。
【００２７】
図１において、７１はインプラント本体４３のホルダー部４２の内周面に設けた環状溝で、この環状溝７１内にはＯリング７２を嵌着してある。
【００２８】
因って、前記インプラント本体４３のホルダー部４２内において、操作部材４６がナット５２（図４６にて示す）の回転により、インプラント本体４３の軸心方向に上下動する際の作動時並びにインプラント本体４３の拡開片４４が拡開されて植立部６１（図４４）内に固定された植立状態においても、ホルダー部４２と操作部材４６の丸棒状の本体５１間は、常時前記Ｏリング７２によってシールされることになる。
【００２９】
図２の場合のシール部７０は、図１のシール部７０がインプラント本体４３のホルダー部４２側に環状溝７１を設けるとともに、この環状溝７１内にＯリング７２を嵌着することにより構成したのであるが、これとは逆に、操作部材４６の丸棒状の本体５１の外周面に環状溝７３を設けるとともに、この環状溝７３内にＯリング７２を嵌着することにより構成したもので、かかるシール部７０によっても、インプラント体４０における植立状態下のインプラント本体４３と、操作部材４６間におけるシール作用が得られる。
【００３０】
以上のインプラント体４０におけるシール部７０により、インプラント体４０の植立状態におけるインプラント本体４３と操作部材４６間の水密、かつ気密性が保持される結果、インプラント本体４３内に対する細菌等の侵入を完全に防止することができる。
【００３１】
（実施の形態２）
図３および図４は、本発明の実施の形態２のインプラント体の要部を示す拡大断面図である。
【００３２】
そして、この実施の形態２は、前記図４７〜４９によって示したインプラント体５７に、本発明を適用することにより実施した場合を示すものである。
【００３３】
従って、前記実施の形態１と同様、インプラント体５７の全体の構成の説明については、図４７〜４９と同一構成部分の説明は省略し、以下には、インプラント体５７のインプラント本体４３と操作部材４６間に施したシール部７０の構成を図３，図４とともに説明する。
【００３４】
図３において、７４はインプラント本体４３の操作部材４６の係止段部５５の内周面５５ａに設けた環状溝で、この環状溝７４内にＯリング７２を嵌着した状態にて操作部材４６を、前記インプラント本体４３のベース部４１内に嵌装することにより、操作部材４６の頭部５６が係止段部５５に係止されるとともに、頭部５６の下部の本体（ネジ杆）５８との基部（丸棒状）５９外周面５９ａと、係止段部５５の内周面５５ａ間にＯリング７２が介装されるシール部７０が構成される。
【００３５】
因って、インプラント本体４３が顎骨６０の植立部６１内に植立される際の操作部材４６が回転される操作時並びにその後のインプラント本体４３の植立状態における、インプラント本体４３と操作部材４６間の接合面５５ａ，５９ａは、前記構成から成るシール部７０によって水密かつ気密的にシールされる。
【００３６】
図４の場合には、図３のシール部７０の構成におけるＯリング７２を、操作部材４６側に支持した構成を示し、頭部５６の基部５９の外周面５９ａに設けた環状溝７５内にＯリング７２を嵌着してある。
【００３７】
因って、図３，図４の構成から成るシール部７０により、実施の形態１と同様の作用効果を得ることができる。
【００３８】
尚、実施の形態１および２のシール部７０の構成に当たって使用するＯリング７２の形成材料としては、生体適合性を有する医療用エラストマー例えば、天然ゴム，イソプレンゴム，シリコンゴム，ポリオレフィンケイゴム，ブチルゴム，ポリウレタンゴム等を使用する。
【００３９】
（実施の形態３）
図５〜図１６は、本発明の実施の形態３のインプラント体１及びその形成方法を示すものである。
【００４０】
図５に示すインプラント体１は、チタン又はステンレスにアパタイト等をコーティングして生体への親和性の良い材料を用いて略円筒状に形成したインプラント本体２を具備している。
【００４１】
尚、このインプラント本体２は、円筒状とする他、臼歯部の抜歯窩での使用状態を考慮すると四角筒状等の多角形状とすることも可能である。
【００４２】
前記インプラント本体２には、顎骨又は／及び歯槽骨との密着性を高めるためと、上方からかかる咀嚼による力を分散させるために、筒状体の外周にねじ部２ａが設けられている。また、インプラント本体２には、少なくとも一部がこの本体２の肉厚部と分離しない図６に示すようなコの字形状のスリット部３を、例えば本体上部に２箇所、本体中央部及び下部に各々２箇所、合計６箇所設けている。そして、インプラント本体２の上部２箇所のスリット部３は、図６の筒状体上側に示すようにインプラント本体２の円周方向に長辺が沿い、インプラント本体２の長さ方向に短辺が沿う形状としている。また、本体中央部及び下部に各々２箇所ずつ設けたスリット部３は、図６の筒状体下側に示すようにインプラント本体２の長さ方向に長辺が沿い、インプラント本体２の円周方向に短辺が沿う形状としている。尚、スリット部３の部分は外周側から切り込みを入れ、スリット部３を外側へ膨出させ易くするようにして形成することが望ましい。
【００４３】
そして、図５に示す如く、前記インプラント本体２の上部の２箇所のスリット部３に囲まれる領域を各々インプラント本体２の外周面から外方に膨出させて、２個の膨出部４ａ，４ｂとし、インプラント本体２の中央部の２箇所のスリット部３に囲まれる領域を各々インプラント本体２の外周面から外方に膨出させて、インプラント本体２の上方に向けて開口した２個の膨出部５ａ，５ｂとし、さらに、インプラント本体２の下部の２箇所のスリット部３に囲まれる領域を各々インプラント本体２の外周面から外方に膨出させて、インプラント本体２の下方に向けて開口した２個の膨出部６ａ，６ｂとしている。
【００４４】
これら各膨出部４ａ，４ｂ，５ａ，５ｂ，６ａ，６ｂの形状は、コの字形状の他、これと近似した山形状、略半円状、台形状等とすることができる。
【００４５】
前記インプラント本体２の内側は、図７に示すように長さ方向或いは円周方向に沿ってテーパー状に加工されている。
【００４６】
このテーパー状の加工について以下に説明する。外形加工をしたインプラント体１のインプラント本体２の一方の端部から図７に示すように偏心した孔７ａ，７ｂ，７ｃを他方の端部を貫通する若干手前まで開ける。さらに、孔７ａ，７ｂ，７ｃにより形成されるインプラント本体２の内周におけるテーパ部８を損なわないようなサイズの孔９をインプラント本体２の中心に沿って貫通するように開ける。さらに、３箇所の孔７ａ，７ｂ，７ｃにより形成されるインプラント本体２の内周におけるテーパ部８を含むような孔（図示せず）をインプラント体１のインプラント本体２の上部に開ける。以上の孔加工はドリルでの加工以外にも放電加工等によって行なうことも可能である。次に、一番大きな孔の途中まで雌ねじを切る。
【００４７】
前記膨出部４ａ，４ｂ，５ａ，５ｂ，６ａ，６ｂを拡開させる拡開ねじ体１０について図８を参照して説明する。この拡開ねじ体１０の下端１１５はインプラント体１のインプラント本体２の下端２ｂの孔（図示しない）に嵌合し、拡開ねじ体１０に設けた任意数の凸部１１ｂはインプラント体１のインプラント本体２内のテーパー部分に沿って回転自在に支持し、図９に示すようにテーパー部分を外側へ押し開き、前記膨出部４ａ，４ｂ，５ａ，５ｂ，６ａ，６ｂを形成する。
【００４８】
又、この拡開ねじ体１０の頭部１１ａの内側端面（接合面）１１ｄは、当該拡開ねじ体１０をインプラント本体２内に挿入した際、インプラント本体２の上端部２ｄ（図５参照）の内側に設けた拡開ねじ体１０の頭部１１ａとの係止段部２ｅと接合した状態にて装着される。尚、拡開ねじ体１０の上端部に設けた溝１１ｅは、ドライバー等の工具にて手動による回転力を与える場合に使用する。
【００４９】
前記拡開ねじ体１０における凸部１１ｂの外周面に設けた段部１１ｃは、図９に示す如く前記インプラント本体２内のテーパー部分の角部１２に係合し、拡開ねじ体１０を定位置に固定する。
【００５０】
又、前記構成から成るインプラント本体２においても、前記実施の形態１および２と同様に、同実施の形態１，２における操作部材４６に相当する拡開ねじ体１０の頭部１１ａと、これを係止するインプラント本体２の上端部２ｄの内側部に設けた係止段部２ｅとの接合面１１ｄ，２ｆ間にシール部７０を設けることにより構成する。
【００５１】
さて、拡開ねじ体１０の頭部１１ａと係止段部２ｅとの接合面１１ｄと２ｆ間のシール部７０の実施の形態としては、図１０〜１５の実施の形態を具体的に説明する。
【００５２】
まず、図１０の実施の形態は、係止段部２ｅの拡開ねじ体１０の頭部１１ａとの接合面２ｆに環状溝７６を設けるとともに、この環状溝７６内にＯリング７２を嵌着することにより、インプラント本体２内に装着される拡開ねじ体１０の頭部１１ａと係止段部２ｅの両接合面１１ｄ，２ｆ間にシール部７０を構成するものである。
【００５３】
尚、Ｏリング７２の形成材料については、前記実施の形態１，２に使用するＯリング７２と同一の材料により形成する。
【００５４】
図１１の実施の形態は、Ｏリング７２を頭部１１ａと係止段部２ｅとの接合面１１ｄに設けた環状溝７７に嵌着して構成したものである。
【００５５】
図１２の実施の形態は、拡開ねじ体１１の頭部１１ａと係止段部２ｅとの接合面を両者の傾斜接合面８０，８１間にＯリング７２を介装することにより、シール部７０を構成する場合を示すもので、この場合、両者の傾斜接合面８０，８１のいずれか一方の接合面に環状溝を設け、その環状溝内にＯリング７２を嵌着して構成しつつ実施できるが、特に図１２においては、係止段部２ｅの傾斜接合面８１側に環状溝７８を設け、これにＯリング７２を嵌着した場合の一方のみを図示し、他方の実施の形態は省略した。
【００５６】
さらに、図１３の実施の形態は、図１２の実施の形態の変形例であって、傾斜接合面８２，８３間にシール部７０を構成する構成は、両接合面８２，８３のいずれか一方の接合面の環状溝内にＯリング７２を嵌着して実施することができ、一方の接合面８３の環状溝７９内にＯリング７２を嵌着して構成した場合を図示したもので、他方の接合面８２の実施の形態は図１２と同様に省略して示したものである。
【００５７】
特に、この実施の形態の場合には、インプラント本体２の植立状態において、インプラント本体２内に侵入する細菌等を、一旦、落とし込み溝８４内に落とし込むことによって、直接シール部７０に至るのを阻止し、シール部７０のみによるシール作用を、前記落とし込み溝８４によって助長し得るように構成したものである。
【００５８】
実施の形態１，２あるいは前記実施の形態３の図１０〜１３のシール部７０はシール部材としてのＯリング７２を、シール部７０を設けるそれぞれの接合面のいずれか一方の接合面に設けた環状溝内に嵌着して構成する実施の形態を示したものであるが、図１４〜１６の実施の形態は、シール部７０を設ける両接合面１１ｄ，２ｆ間に直接シール部材を介装することにより構成する実施の形態を示すものである。
【００５９】
そして、図１４の実施の形態は、拡開ねじ体１０の頭部１１ａと、インプラント本体４３の係止段部２ｅの接合面１１ｄ，２ｆ間にシール部７０を構成するに当たり、頭部１１ａの下面外周に設けた面取り部１１ｉと係止段部２ｅの接合面２ｆのコーナー部２ｇ間にＯリング７２を介装することにより構成したものである。
【００６０】
又、図１５の実施の形態は、拡開ねじ体１０の頭部１１ａと係止段部２ｅの両接合面１１ｄ，２ｆ間にシール部材としての環状パッキン８６を介装することにより、シール部７０を構成する実施の形態を示したものである。
【００６１】
前記シール部材としての環状パッキン８６の形成材料は、前記シール部材としてのＯリング７２と同様の材料により形成する。
【００６２】
又、前記環状パッキン８６については、図示の環状パッキン８６に換えてチタン、または金、銀あるいはその合金等の金属材料から成る金属材料にて形成した環状ワッシャー又は皿バネ等のシール部材を介装することによりシール部（図示しない）を構成することもできる。
【００６３】
そして、環状パッキン８６の構成は、図１５に示す如く、外周に弾性を有する環状の膨出部８６ａを設け、拡開ねじ体１０の各凸部１１ｂによるインプラント本体２の各膨出部４ａ，４ｂ，５ａ，５ｂ，６ａ，６ｂ，の膨出作用の反力によって生ずる、拡開ねじ体１０の前記両接合面１１ｄ，２ｆ間に対す圧接作用によって、シール作用を発揮し得るように構成したものである。
【００６４】
以上の図１０〜１５の各実施の形態から成るシール部７０については、前記実施の形態１および２におけるシール部７０を含めてインプラント本体４３に要求される構成上または、水密、気密性上さらにはその他の理由に応じて選択的に採用しつつ実施することができるものである。
【００６５】
従って、図１０〜１５の各実施の形態は、インプラント本体４３の要求に応じて、各実施の形態の組み合わせから成る構成によっても実施する場合もある。
【００６６】
以上のようにして、インプラント体１を構成することができ、図１６に示す如く、顎骨１７の植立部に対応せしめて各膨出部４ａ，４ｂ，５ａ，５ｂ，６ａ，６ｂを拡開ねじ体１０の操作によって膨出しつつ植立する。
【００６７】
又、この植立状態においては、前述のシール部７０によって、インプラント本体２内に細菌等の侵入を水密、気密的にシールしつつ阻止し得る。そして、このインプラント体１の植立完了後、インプラント体１の上部にホルダー部１９を取り付けるとともに、このホルダー部１９を介して義歯１８を取り付けるものである。
【００６８】
又、前記インプラント体１の構成上、膨出部４ａ，４ｂをインプラント体１の最上部に設ければ、顎骨又は／及び歯槽骨の緻密な部分へ拡張することができ強力な保持力を発揮する。また、膨出部４ａ，４ｂの向きは顎骨又は／及び歯槽骨の薄い患部に対応する短いインプラント体１に使用することもできる。さらに、臼歯部の抜歯窩のように先端が二つないしは三つに分岐しているような場合、従来の拡張形のインプラント体では対応が不可能であったが、このタイプの短いインプラント体１により臼歯部への適応が可能になる。
【００６９】
前記膨出部６ａ，６ｂのようにインプラント体１の下方向きに設けた場合には、咀嚼時に上方からインプラント体１にかかる力に対して大きな保持力を有することになる。前記膨出部６ａ，６ｂの膨出によって骨密度が増した部分が有効に作用すると言える。
【００７０】
（実施の形態４）
次に、本発明の実施の形態４について図１７〜図２０を参照して説明する。
【００７１】
本実施の形態４のインプラント体１Ａは、筒状体の外周にねじ部２１を設けるとともに周壁部を貫くコの字形状の任意のスリット部２２を設け、かつこの各スリット部２２により囲まれる領域の内周側に例えば上下合計３箇所の受凸部２３を設けた筒状のインプラント本体２０の内部に、図１７及び図１８に示すような頭部２５ａを有するとともに外周における前記各受凸部２３に各々対応する位置に上下合計３箇所の膨出凸部２４を設けた拡開ねじ体２５を挿入し、このねじ体２５の頭部２５ａを回転し、前記受凸部２３を拡開ねじ体２５の膨出凸部２４により外方（インプラント体１Ａの長さ方向、外周方向）に膨出させてスリット部２２により囲まれる領域を任意数の膨出部２７とし、図５に示す場合と同様な形状を有する図１８に示すインプラント体１Ａとするものである。
【００７２】
又、インプラント本体２０内に拡開ねじ体２５を挿入し、インプラント本体２０の上端部２０ｄの内側に設けた、拡開ねじ体２５の係止段部２０ｅに拡開ねじ体２５の頭部２５ａを係合せしめた状態にて装着するものであるが、頭部２５ａと係止段部２０ｅとの接合面２５ｄ，２０ｆには、前記したように、実施の形態３と同様な構成から成るシール部７０を設ける。尚、その構成は、実施の形態３における図１０〜１６の実施の形態の構成を適用するもので、具体的な説明と図示は省略する。
【００７３】
そして、図１７，図１８に示すように、前記インプラント本体２０の一部に抜孔２０ａを設け、拡開ねじ体２５にも貫通孔２８を設けて、緩み止めピン２９を抜孔２０ａから貫通孔２８に挿入する事で、拡開ねじ体２５を定位置に固定して膨出部２７がインプラント本体２０側に没入しない構成とする事ができる。
【００７４】
この場合、インプラント本体２０の係止段部２０ｅの下側と前記ピン２９間に位置せしめて拡開ねじ体２５の外周にウェーブワッシャ（又は皿ばね体）３０を嵌め付け、上述した頭部２５ａの接合面２５ｄと、この頭部２５ａの接合面２５ｄが接合するインプラント本体２０の係止段部２０ｅの接合面２０ｆとの間のシール部７０と相俟って、拡開ねじ体２５とインプラント本体２０との間から細菌等がインプラント本体２０内に侵入することを確実に防止することができる。
【００７５】
また、前記緩み止めピン２９と抜孔２０ａとの間、緩み止めピン２９と貫通孔２８との間にもシール部材を介在するようにすれば、インプラント本体２０内への細菌等の侵入をより完壁に防止できる。
【００７６】
図１９は、前記拡開ねじ体２５に設けた膨出部２７の膨出動作を示すものである。膨出凸部２４は拡開ねじ体２５の軸部２５ｂに対して、例えば１８０度対称配置に前記軸部２５ｂの直径（Ｄ）よりも大きい突出長（Ｌ）となるように全体として楕円を呈するように形成され、拡開ねじ体２５を図１９に示す矢印方向ａに９０度回転することで、膨出部２４の両突出端を対応する受凸部２３に当てて外方に押し出すことで、スリット部２２により囲まれる領域を膨出部２７とするものである。膨出凸部２４としては、図２０に示すような形状、即ち、前記軸部２５ｂに対して１８０度対称配置に外方に突出させた段差付きのカム形状で、かつ、外周部にねじ状部２４ａを備えたものを用いる事もできる。この場合、膨出凸部２４により拡開される受凸部２３側にもねじ状部２３ａを設ける事で、拡開ねじ体２５を図８に示す如く矢印方向に９０度回転したとき、膨出凸部２４を受凸部２３に螺合せしめつつ膨出部２７を形成できる。
【００７７】
尚、インプラント体１Ａに対する加工は、外形加工をしたインプラント体１Ａの一方の端部から内部を貫通する孔を開け、さらにスリット部２２により囲まれる領域の内周側に受凸部２３を設ける。また、放電加工を利用してもインプラント体１Ａの加工を実施できる。
【００７８】
（実施の形態５）
次に、図２１〜図２５を参照して本発明の実施の形態５のインプラント体１Ｂについて説明する。
【００７９】
このインプラント体１Ｂは、筒状体の外周にねじ部３１を設け、周壁部を貫くコの字状の任意のスリット部３２（図２１において上側部は図２３に示すように本体３０の円周方向、下部側はインプラント本体２０の長さ方向）を設け、また、スリット部３２の下側に、図２５にも示すようにねじ３３ｂを有する筒状で、その外周から１８０度対称配置に最突出端から内方に至る上昇勾配の押上凸部３３ａを設けた押上体３３が挿通可能な空隙部３４（この空隙部３４はスリット部３２の一辺を大きく切り欠くことで形成される）を設けた筒状のインプラント本体３０に対して、この本体３０の上部から前記空隙部３４に挿通された押上体３３のねじ３３ｂに螺合しつつ拡開ねじ体３５を挿入することにより構成される。
【００８０】
そして、拡開ねじ体３５を回転させて前記押上体３３を上昇させ、押上体３３の押上凸部３３ａの上昇力を前記スリット部３２により囲まれる領域の内周側に作用させて外方に膨出させ、これにより、上部側は図２１に示すように本体３０の円周方向に膨出する任意数の膨出部３６Ａとし、下部側は本体３０の長さ方向の斜め下方に膨出する膨出部３６Ｂとし、これによりインプラント体１Ｂを形成するものである。
【００８１】
前記実施の形態３，４のインプラント体１，１Ａと同様に、インプラント本体３０の上端部３０ｄの内側に設けた、拡開ねじ体３５の頭部３５ａとの係止段部３０ｅ間の接合面３５ｄ，３０ｆには、実施の形態３の場合と同様な構成のシール部７０を設ける。尚、実施の形態４と同様であるシール部７０の構成については、具体的な説明と図示は省略する。
【００８２】
図２３，図２４は、インプラント本体２０の円周方向に膨出して形成される前記膨出部３６Ａの形状を示すものであり、この膨出部３６Ａは、上部が厚く形成されるとともに、その内周側において最下端から斜めに上方に向かって最も側方に突出した稜線３７を有し、前記押上体３３の押上凸部３３ａが上昇するとき、押上凸部３３ａの傾斜面が常に稜線３７に沿って接触するようにして、膨出部３６Ａを円周方向に膨出させるものである。
【００８３】
以上の実施の形態４，５のインプラント体１Ａ，１Ｂについても、これを使用する場合には実施の形態３と同様に、図１６のインプラント体１に換えて、インプラント体１Ａあるいは１Ｂを植立することにより使用するもので、図示は省略する。
【００８４】
又、実施の形態３〜５の各インプラント体１，１Ａ，１Ｂの各膨出部４ａ，４ｂ，５ａ，５ｂ，６ａ，２７，３６Ａ，３６Ｂは、必要に応じてインプラント本体２，２０，３０の長さ方向間の任意の位置に膨出するように配設しつつ実施することができ、かつ、膨出方向についても、任意に設計できる。
【００８５】
例えば、図２６は２本のインプラント体１の植立状態を示すもので、上向きの膨出部５ａ，５ｂと下向きの膨出部６ａ，６ｂとを有するインプラント体１を使用し、これらを隣接して膨出部５ａ，５ｂ、膨出部６ａ，６ｂの位置を調整しつつ抜歯窩１５に植立することにより、これらが互いに干渉することなく抜歯窩１５に高密度で植立することが可能となる。
【００８６】
また、インプラント体１の任意の箇所から膨出部４ａ，４ｂ，５ａ，５ｂを膨出させることで、図２７に示すように不安定な抜歯窩１６にもこのインプラント体１を埋め込むことができる。
【００８７】
以上説明した実施の形態３〜５によれば、抜歯窩へのインプラント体１の植立が可能となり、以下の説明のようにインプラント体１の適応症例を飛躍的に拡大させる。即ち、通常咀嚼により歯牙からの力により顎骨がわずかに歪み、微小な電位が顎骨に生じる。この電位に血液中のカルシウムイオンが引き寄せられ、歯槽骨へのカルシウム成分の補給を行なっている。
【００８８】
従来のインプラント体では抜歯窩が完全に塞がるのを待つ必要があったが、この間には抜歯部の顎骨には十分なカルシウム成分は供給されない。また、抜歯窩を周辺の骨成分が埋めようとするので顎骨が薄く脆弱になり、インプラント体が植立できないケースが上顎で約８０％、下顎で３０％あるのがインプラント体を処置する際の最大のネックであった。
【００８９】
又、抜歯窩へインプラント体１，１Ａ，１Ｂを植立してもインプラント体１，１Ａ，１Ｂの上下各部に膨出部４ａ等を設けることができるので、埋め込みの為の穴が完全な円で無くても良く、抜歯直後にインプラント体１，１Ａ，１Ｂを顎骨又は／及び歯槽骨へ植立できる。
【００９０】
従って、インプラント体１，１Ａ，１Ｂの不適合な症例は極めて限られたケースとなる。抜歯窩は不定形であり、従って従来の非拡張形インプラント体を埋め込むのは不可能である。また、従来の拡張形インプラント体もこのインプラント体の下部のみしか拡開しないため不可能であった。本実施の形態によれば、インプラント体１，１Ａ，１Ｂの各所を膨出できるので、不定型な抜歯窩にもインプラント体１，１Ａ，１Ｂを埋め込むことができる。
【００９１】
現在、インプラント体を扱う術者はごく限られた人数しかいない。その主な原因は、顎骨に穴を開けるという高度な技術を要求されるためである。穴の深さ、方向に細心の注意を払わなければ、直ちに医療事故につながる事態が生じるが、抜歯窩がそのままインプラント体１，１Ａ，１Ｂの埋め込みのための穴として利用できるのであれば遥かに容易に、そして安全にインプラント体１，１Ａ，１Ｂの植立を行なうことが可能となる。
【００９２】
さらに、前記インプラント体１，１Ａ，１Ｂによれば、抜歯窩の複数箇所に膨出部を当てて支持できるので、インプラント体１，１Ａ，１Ｂに作用する曲げモーメントに対しても従来例の場合よりも強くなるという利点がある。
【００９３】
そして、実施の形態３〜５においては、インプラント本体２０とこのインプラント本体２０の所要部位を外側に拡開する拡開部材としての拡開ねじ体１０，２５，３５により構成されるインプラント体１，１Ａ，１Ｂにおいて、特に拡開ねじ体１０，２５，３５の頭部１１ａ，２５ａ，３５ａとこれを係止するインプラント本体２０の係止段部２ｅ、２０ｅ，３０ｅとの接合面１１ｄ，２５ｄ，３５ｄ，２５，２０ｆ，３０ｆにシール部７０を形成することにより、インプラント本体２，２０，３０内に対する外部からの細菌等の進入を防止することができる。
【００９４】
尚、以上の実施の形態３〜５については、インプラント本体２，２０，３０内に拡開ねじ体１０，２５，３５を挿入し、インプラント本体２，２０，３０の所要部位を外側に拡開するようにする構成について適用した場合の前記シール部７０の構成を具体的に示したが、前記シール部７０の構成については、インプラント本体とこのインプラント本体の所要部位を外側に拡開する拡開部材とから成るインプラント体について実施する形態のすべてに適用し得るもので、上述した実施の形態３〜５に限定されるものではない。
【００９５】
更に、前記インプラント体１，１Ａ，１Ｂは歯科技工上の構造体を支持する場合の具体的な説明はしていないが、これに対して、歯科技工上の義歯等の構造体を取り付ける場合には、これを取り付けるに必要な取り付け部（図示しない）を前記各実施例の形態３〜５のインプラント体１，１Ａ，１Ｂにあらかじめ形成しておくか、あるいは、前記構造体のホルダー部を各インプラント体１，１Ａ，１Ｂの上端部に結合しつつ構成するものである。
【００９６】
（実施の形態６）
図２８〜３２は、実施の形態６を示すものである。
【００９７】
但し、本実施例の形態６は、前記実施の形態３におけるインプラント体１の構成中インプラント本体２の外周にねじ部２ａを設けることに換えて、ねじ部２ａを形成しない場合の実施の形態を示すものである。
【００９８】
従って、インプラント本体２の外周にねじ部２ａを形成しない構成以外の構成は実施の形態３と同様である。
【００９９】
また、作用、効果もねじ部２ａが無い点を除き同一であるので、同一構成部分には同一番号を付して示しその詳細な説明は省略する。そして、実施の形態３の図１０〜１５のシール部７０の構成についても、これを省略する。
【０１００】
（実施の形態７，８）
図３３〜４１は、実施の形態７，８を示し、実施の形態６の場合に対応しインプラント本体２０，３０の外周にねじ部を形成しない実施の形態を示すもので、具体的な構成は、図１６〜２５の実施の形態４，５と全く同一構成であるので、図中同一構成部分は同一番号を付して、詳細な説明は省略する。
【０１０１】
前記実施の形態４及び５のインプラント体１Ａ，１Ｂのにおいては、図１６〜２０の実施の形態４、そして図２１〜２５の実施の形態５の両実施の形態のインプラント体１Ａ，１Ｂのインプラント本体２０及び３０は、ともに外周に、実施の形態３のインプラント本体２と同様に、ねじ部２１，３１を設け、顎骨又は／及び歯槽骨との密着性を高め、かつ、上方からかかる咀嚼による力を分散させることができるようにした場合を示している。
【０１０２】
従って、図１６〜２５の実施の形態４，５のインプラント体１Ａ，１Ｂのインプラント本体２０，３０のねじ部２１，３１を備えるものに換えて、前記図２８〜３２に示す実施の形態６に対応する、図１７〜２０のインプラント本体２０，３０の外周にねじ部２１，３１を備えない実施が可能であることを実施の形態７，８として挙げることができ、それは、図３３〜４１の構成によって実施することができる。
【０１０３】
又、本実施の形態７，８においても、実施の形態４，５と同様にシール部７０によって、インプラント本体２０，３０の植立状態において、インプラント本体２０，３０内への細菌等の侵入を防止することができる。
【０１０４】
図４２，４３は実施の形態６〜８の使用例を説明するものであるが、その使用説明については実施の形態３〜５の使用例を示す図２６，２７と同様であるので、図示のみで説明は省略する。
【０１０５】
尚、以上の実施の形態３〜７のインプラント体において、以下の構成要旨から成るインプラント体を得ることができる。
【０１０６】
インプラント体は、筒状のインプラント本体と拡開部材とから成るとともに前記インプラント本体は、長さ方向の所要部位に配設した複数の拡開部を備え、前記拡開部材は、前記インプラント本体の複数の拡開部を径方向の外側に拡開し得るように構成して成ることを特徴とするインプラント体。
【０１０７】
前記インプラント本体の各拡開部は、スリット部を介して径方向の外側に拡開し得るように形成するとともに前記拡開部材は、前記インプラント本体の軸心方向に装入した拡開ねじ体にて形成するとともにこの拡開ねじ体の長さ方向間の、前記インプラント本体の各拡開部との対向位置に突出した凸部とから形成され、当該拡開ねじ体をインプラント本体の軸心にて所要角度回転することにより、各凸部にてこれに対向するインプラント本体の各拡開部を外側に拡開し得るように構成したことを特徴とするインプラント体。
【０１０８】
前記インプラント本体の各拡開部は、インプラント本体の径方向又は／及びインプラント本体の軸心方向との直交方向に拡開する拡開部を配設して成ることを特徴とするインプラント体。
【０１０９】
前記インプラント本体は、外周の全面又は所要部位にネジ部を突設して構成したことを特徴とするインプラント体。
【０１１０】
前記拡開ねじ体は、外周にねじ部を螺設するとともに前記インプラント本体には、所要部位に空隙部を配設し、前記拡開ねじ体のねじ部に螺合するねじ部を備える押上体を前記空隙部内に装入した後、前記拡開ねじ体をインプラント本体の軸心に回転自在に装入するとともに空隙部内に装入される押上体のねじ部を拡開ねじ体のねじ部に螺合せしめて構成し、前記拡開ねじ体を回転することにより押上体を拡開ねじ体のねじ部に沿って螺進しつつ上昇し、インプラント本体の所要位置に配設される拡開部を外側に拡開し得るように構成したことを特徴とするインプラント体。
【０１１１】
前記インプラント本体は、前記拡開ねじ体の頭部の係止段部を備え、この係止段部と頭部の接合面間に、インプラント本体の植立状態に於いて、インプラント本体の内部に細菌等が侵入するのを阻止するシール部を設けることにより構成したことを特徴とするインプラント体。
【０１１２】
前記シール部は、前記拡開ねじ体とインプラント本体とが接合する前記接合面間以外の接合面間にシール部材を介装して構成したことを特徴とするインプラント体。
【０１１３】
前記シール部は、前記拡開ねじ体の外周とインプラント本体の内周との接合面間の任意の位置に設けた環状溝にシール部材を嵌着して構成したことを特徴とするインプラント体。
【０１１４】
【発明の効果】
以上説明した本発明によれば、インプラント体を、インプラント本体の所要部位を外側に拡開し得るように構成することにより、従来のインプラント体に比較して植立直後から強力な保持力を発揮し、即日の歯科技工上の構造体の施術をも可能ならしめ得るとともに顎骨又は／及び歯槽骨が薄くなることを防止し得るとともに、インプラント本体の植立状態において、インプラント本体の内部に細菌の侵入を阻止するシール部を設けているので、前記インプラント本体の内部における細菌の繁殖を阻止し得るインプラント体を提供することができる。
【図面の簡単な説明】
【図１】本発明の実施の形態１のインプラント本体の要部を示す拡大断面図である。
【図２】本発明の実施の形態１のインプラント本体の要部を示す拡大断面図である。
【図３】本発明の実施の形態２のインプラント本体の要部を示す拡大断面図である。
【図４】本発明の実施の形態２のインプラント本体の要部を示す拡大断面図である。
【図５】本発明の実施の形態３のインプラント体を示す正面図である。
【図６】本発明の実施の形態３のインプラント本体におけるスリット部の方向を示す説明図である。
【図７】本発明の実施の形態３のインプラント本体の加工状態を示す説明図である。
【図８】本発明の実施の形態３のインプラント体の拡開ねじ体を示す斜視図である。
【図９】本発明の実施の形態３のインプラント本体の拡開工程を示す説明図である。
【図１０】本発明の実施の形態３のインプラント本体におけるシール部の要部を示す拡大断面図である。
【図１１】本発明の実施の形態３のインプラント本体におけるシール部の要部を示す拡大断面図である。
【図１２】本発明の実施の形態３のインプラント本体におけるシール部の要部を示す拡大断面図である。
【図１３】本発明の実施の形態３のインプラント本体におけるシール部の要部を示す拡大断面図である。
【図１４】本発明の実施の形態３のインプラント本体におけるシール部の要部を示す拡大断面図である。
【図１５】本発明の実施の形態３のインプラント本体におけるシール部の要部を示す拡大断面図である。
【図１６】本発明の実施の形態３のインプラント体の使用状態を示す説明図である。
【図１７】本発明の実施の形態４のインプラント体を示す断面図である。
【図１８】本発明の実施の形態４のインプラント本体の拡開状態を示す断面図である。
【図１９】本発明の形態４のインプラント本体の膨出凸部の動作を示す説明図である。
【図２０】本実施例の形態４のインプラント本体の膨出凸部の他例を示す説明図である。
【図２１】本発明の実施の形態５のインプラント体を示す断面図である。
【図２２】本発明の実施の形態５のインプラント本体の拡開状態を示す断面図である。
【図２３】本実施の形態５のインプラント本体の膨出部を示す部分斜視図である。
【図２４】本実施の形態５のインプラント本体の膨出部の拡大図である。
【図２５】本実施の形態５のインプラント本体の押上体を示す斜視図である。
【図２６】本発明の実施の形態３〜５のインプラント体の使用例を示す概略図である。
【図２７】本発明の実施の形態３〜５のインプラント体の他の使用例を示す概略図である。
【図２８】本発明の実施の形態６のインプラント体を示す正面図である。
【図２９】本発明の実施の形態６のインプラント本体におけるスリット部の方向を示す説明図である。
【図３０】本発明の実施の形態６のインプラント本体の加工状態を示す説明図である。
【図３１】本発明の実施の形態６のインプラント体の拡開ねじ体を示す斜視図である。
【図３２】本発明の実施の形態６のインプラント本体の拡開工程を示す説明図である。
【図３３】本発明の実施の形態７のインプラント体の断面図である。
【図３４】本発明の実施の形態７のインプラント体の拡開状態を示す断面図である。
【図３５】本発明の実施の形態７のインプラント本体の膨出凸部の動作を示す説明図である。
【図３６】本実施の形態７のインプラント本体の膨出凸部の他例を示す説明図である。
【図３７】本発明の実施の形態８のインプラント体を示す断面図である。
【図３８】本発明の実施の形態８のインプラント本体の拡開状態を示す断面図である。
【図３９】本発明の実施の形態８のインプラント本体の膨出部を示す部分斜視図である。
【図４０】本発明の実施の形態８のインプラント本体の膨出部の拡大図である。
【図４１】本発明の実施の形態８のインプラント本体の押上体を示す斜視図である。
【図４２】本発明の実施の形態６〜８のインプラント体の使用例を示す概略図である。
【図４３】本発明の実施の形態６〜８のインプラント体の他の使用例を示す概略図である。
【図４４】従来のインプラント体の実施の形態を示す断面図である。
【図４５】従来のインプラント体の実施の形態を示す図４４Ａ−Ａ断面図である。
【図４６】従来のインプラント体の実施の形態を示す断面図である。
【図４７】従来のインプラント体の実施の形態を示す断面図である。
【図４８】従来のインプラント体の実施の形態を示す断面図である。
【図４９】図４７，４８のインプラント体の使用説明図である。
【符号の説明】
１，１Ａ，１Ｂ，４０，５７  インプラント体
２，２０，３０，４３  インプラント本体
２ａ，２１，３０  ねじ部
２ｄ，２０ｄ，３０ｄ  インプラント本体の上端部
２ｅ，２０ｅ，３０ｅ  係止段部
２ｆ  接合面
２ｇ  コーナー部
３，２２，３２  スリット部
４ａ，４ｂ，５ａ，５ｂ，６ａ，６ｂ，２７，３６Ａ，３６Ｂ  膨出部
７ａ，７ｂ，７ｃ  孔
８  テーパー部
１０，２５，３５  拡開ねじ体
１１ａ，２５ａ，３５ａ  拡開ねじ体の頭部
１１ｂ  拡開ねじ体の凸部
１１ｃ  拡開ねじ体の段部
１１ｄ  拡開ねじ体の頭部の内側端面（接合面）
１１ｅ  拡開ねじ体の溝
１１ｆ  拡開ねじ体の下端
１１ｇ  拡開ねじ体の本体
１１ｈ  拡開ねじ体の基部
１１ｉ  拡開ねじ体の面取り部
１４  シール部
１５，１６  抜歯窩
１７  歯槽骨
１８，６２  義歯
１９  ホルダー部
２０ａ  抜孔
２３  受凸部
２４  膨出凸部
２４ａ  ねじ状部
２５ｂ  軸部
２８  貫通孔
２９  ピン
３０  ウェーブワッシャ
３３  押上体
３３ａ  押上凸部
３３ｂ  ねじ
３４  空隙部
３７  稜線
４１  ベース部
４２  ホルダー部
４４  拡開片
４５  連結部
４６  操作部材
４７  突起部
４８  カム
４９  カム面
５０  筒状部
５１  丸棒状の本体
５２  ナット
５３  ネジ部
５４  スリット
５５  係止段部
５６  頭部
５８  本体
５９  基部
６０  顎骨
６１  植立部
７０  シール部
７１，７２，７４，７５，７６，７７，７８，７９  環状溝
７２  Ｏリング
８０，８１，８２，８３  傾斜接合面
８４  落とし込み溝
【図１】
0004338802.tif 000002
【図２】
0004338802.tif 000003
【図３】
0004338802.tif 000004
【図４】
0004338802.tif 000005
【図５】
0004338802.tif 000006
【図６】
0004338802.tif 000007
【図７】
0004338802.tif 000008
【図８】
0004338802.tif 000009
【図９】
0004338802.tif 000010
【図１０】
0004338802.tif 000011
【図１１】
0004338802.tif 000012
【図１２】
0004338802.tif 000013
【図１３】
0004338802.tif 000014
【図１４】
0004338802.tif 000015
【図１５】
0004338802.tif 000016
【図１６】
0004338802.tif 000017
【図１７】
0004338802.tif 000018
【図１８】
0004338802.tif 000019
【図１９】
0004338802.tif 000020
【図２０】
0004338802.tif 000021
【図２１】
0004338802.tif 000022
【図２２】
0004338802.tif 000023
【図２３】
0004338802.tif 000024
【図２４】
0004338802.tif 000025
【図２５】
0004338802.tif 000026
【図２６】
0004338802.tif 000027
【図２７】
0004338802.tif 000028
【図２８】
0004338802.tif 000029
【図２９】
0004338802.tif 000030
【図３０】
0004338802.tif 000031
【図３１】
0004338802.tif 000032
【図３２】
0004338802.tif 000033
【図３３】
0004338802.tif 000034
【図３４】
0004338802.tif 000035
【図３５】
0004338802.tif 000036
【図３６】
0004338802.tif 000037
【図３７】
0004338802.tif 000038
【図３８】
0004338802.tif 000039
【図３９】
0004338802.tif 000040
【図４０】
0004338802.tif 000041
【図４１】
0004338802.tif 000042
【図４２】
0004338802.tif 000043
【図４３】
0004338802.tif 000044
【図４４】
0004338802.tif 000045
【図４５】
0004338802.tif 000046
【図４６】
0004338802.tif 000047
【図４７】
0004338802.tif 000048
【図４８】
0004338802.tif 000049
【図４９】
0004338802.tif 000050